(57)【要約】  油相、水相、少なくとも１の油中水（Ｗ／Ｏ）系の乳化剤、および少なくとも１の水中油（Ｏ／Ｗ）系の乳化剤を含有し、２０重量％乃至７０重量％の、好ましくは２５重量％乃至５０重量％の架橋アニオン性高分子電解質を含有する組成物であって、前記高分子電解質は、部分的もしくは完全に塩化された２−メチル−２−［（１−オキソ−２−プロぺニル）−アミノ］−１−プロパンスルホン酸と少なくとも１の中性モノマーおよび任意に少なくとも１の弱酸性官能基を有するモノマーとが重合したコポリマーであり、部分的もしくは完全に塩化された２−メチル−２−［（１−オキソ−２−プロぺニル）−アミノ］−１−プロパンスルホン酸のモル比は、３０％未満１％以上であることを特徴とする組成物。化粧料における適用。【選択図】      なし【特許請求の範囲】
【請求項１】
油相、水相、少なくとも１の油中水（Ｗ／Ｏ）系の乳化剤、および少なくとも１の水中油（Ｏ／Ｗ）系の乳化剤を含有し、２０重量％乃至７０重量％の、好ましくは２５重量％乃至５０重量％の架橋アニオン性高分子電解質を含有する逆ラテックスの形態の組成物であって、前記高分子電解質は、部分的もしくは完全に塩化された２−メチル−２−［（１−オキソ−２−プロぺニル）−アミノ］−１−プロパンスルホン酸と少なくとも１の中性モノマーおよび任意に少なくとも１の弱酸性官能基を有するモノマーとが重合したコポリマーであり、部分的もしくは完全に塩化された２−メチル−２−［（１−オキソ−２−プロぺニル）−アミノ］−１−プロパンスルホン酸のモル比は、３０％未満１％以上であることを特徴とする、逆ラテックスの形態の組成物。
【請求項２】
弱酸性官能基を有する前記モノマーが、アクリル酸、メタクリル酸、イタコン酸、マレイン酸、または３−メチル−３−［（１−オキソ−２−プロぺニル）アミノ］−酪酸であって、部分的又は完全に塩化された前記酸から選択される、請求項１に記載の組成物。
【請求項３】
前記中性モノマーが、アクリルアミド、メタクリルアミド、ジメチルアクリルアミド、２−ヒドロキシエチルアクリレート、２，３−ジヒドロキシプロピルアクリレート、２−ヒドロキシエチルメタクリレート、２，３−ジヒドロキシプロピルメタクリレート、ジアセトンアクリルアミド、またはこれらエステル各々の、分子量４００乃至１０００のエトキシル化誘導体から選択される、請求項１または２に記載の組成物。
【請求項４】
前記アニオン性高分子電解質が、
ナトリウム塩形態において部分的または完全に塩化された２−メチル−２−［（１−オキソ−２−プロペニル）−アミノ］−１−プロパンスルホン酸とアクリルアミドとのコポリマー；
ナトリウム塩形態において部分的または完全に塩化された２−メチル−２−［（１−オキソ−２−プロペニル）−アミノ］−１−プロパンスルホン酸、ナトリウム塩形態において部分的または完全に塩化されたアクリル酸、及びアクリルアミドのターポリマー；
から選択される、請求項１乃至３のいずれか１項に記載の組成物。
【請求項５】
前記架橋アニオン性高分子電解質において、２−メチル−２−［（１−オキソ−２−プロペニル）−アミノ］−１−プロパンスルホン酸モノマーのモル比が２％以上２０％以下である、請求項１乃至４のいずれか１項に記載の組成物。
【請求項６】
請求項１乃至５のいずれか１項に記載の組成物の共沸蒸留、沈殿、またはアトマイゼーションにより得られることを特徴とする、ポリマー粉末。
【請求項７】
化粧料、皮膚医薬、または医薬局所組成物の調製における請求項１乃至５のいずれか１項に記載の組成物、または請求項６に記載の粉末の使用。
【請求項８】
５重量％乃至８０重量％の請求項１乃至５のいずれか１項に記載の少なくとも１の組成物、および２０％乃至９５％の美容的にまたは薬学的に許容し得る粉末を含む混合物を、本質的に含有する局所組成物の調製に用いられる濃縮物。
【発明の詳細な説明】
【技術分野】
【０００１】
本発明は、逆ラテックスまたは粉末形態の新規ポリマー、それらの調製方法、並びに化粧料、皮膚医薬または医薬の調製におけるそれらの使用に関するものである。
【背景技術】
【０００２】
紙または布地等の基体への適用において、肌または粘膜等へのケア、仕上がりを意図した調合物の調製に質感付与剤（texturizing agent）が頻繁に用いられる。その主たる機能は、それらが含められる調合物、もしくはそれらが使用される基体の感覚特性及びレオロジー特性を改善することである。化粧料に使用される質感付与剤の例としては、ポリ（メチルメタクリレート）（Ｍｉｃｒｏｐｅａｒｌ（登録商標））から形成される粉末、ポリアミド（Ｎｙｌｏｎ（登録商標））から形成される粉末、シリコーン（ＤＣ９５０６（登録商標）、Ｐｏｌｙｔｒａｐ（登録商標））から形成される粉末、または修飾澱粉（Ｄｒｙ  Ｆｌｏ（登録商標））が挙げられる。これら粉末の中には、塗る際のソフト感や、長時間持続するパウダー感を使用者に提供するものや、塗る際に経験するぬめぬめ感を抑制し、長期間に亘るマット化（mattifying）効果を生むものがある。
【０００３】
使用時のソフト感効果と、肌上での優れた保持効果を併せ持たせるために、ある種のアミノ酸誘導体（例えば、Ｎ−ラウロイルリシン）が化粧料調合物に加えられることがある。この効果は、アミノ酸を含む様々な化合物を用いての、粉末の表面処理による効能によってもまた得られる場合がある。
【０００４】
また、調合物には、その流動特性を修飾するために、また塗布される表面全体における分布の均質性を改善するために、またその同じ表面上における保持性を改善するために、天然由来繊維（例えば、セルロース又は綿繊維）、または合成繊維（例えば、ポリエチレン、テフロン（登録商標）又はポリエステル繊維）が加えられる場合もある。
【０００５】
また、調合物には、その潤滑性を調整し、基体上における滑らかな流れ、もしくはのびを促進するために、特定の充填剤（例えば、タルク、マイカ、セリサイト）または複合充填剤が使用されることもある。
【０００６】
また、これら調合物には、その使用時の透明性またはカラーを調整するために、顔料充填剤の他のタイプ（例えば、酸化チタニウム、酸化亜鉛又は酸化鉄）が含められることもあるが、これはその最終的な特質に影響を及ぼす。
【０００７】
これら粉末は、非粉末型又は加圧成形型の調合物、もしくは連続油相を有する調合物（例えば、油中水系エマルジョン、シリコーン中水系エマルジョン）、棒状及び他の加圧成形調合物の調製によく適合する。
【０００８】
これとは対照的に、これら粉末は、連続水相を有する媒体中（例えば、ローション、ゲル、クリームゲル又は水中油系のエマルジョン）での使用が困難であることが多い。そして、粉末の優れた分散性並びに調合物の優れた安定性の双方を得るために、各粉末及び各調合物ごとに特殊で費用のかかる予備研究を行う必要がある。
【０００９】
さらに、これら調合物には、含まれる他の成分との適合性を向上させるために、安定剤との組合せにおけるＭｉｃｒｏｐｅａｒｌ（登録商標）型の親水性マイクロポーラス微笑球の使用、または表面処理された粉末の使用のいずれかが必要となることが多い。しかしながら、後者の場合には、適切な処理は選択される調合物に特異的であり、その上、調合物について選択される処理粉末の該調合物内における安定性の研究を必須とする。結局のところ、最終溶液は、低量の油相が存在しようと存在しまいと、水性連続層の調合物について通常不安定である。
【発明の開示】
【００１０】
かかる理由のため、化粧料の研究において、ＳＥＰＰＩＣ社は、非粉末または加圧成形粉末型の固体調合物において、連続油相を有する調合物、または少量の油相を含む、もしくは油相を含まない、連続水相を有する調合物と同じくらい使用が容易である新規なレオロジー修飾試薬の開発について鋭意研究を行った。
【００１１】
本発明の内容は、油相、水相、少なくとも１の油中水（Ｗ／Ｏ）系乳化剤、および少なくとも１の水中油（Ｏ／Ｗ）系乳化剤を含有し、２０重量％乃至７０重量％の、好ましくは２５重量％乃至５０重量％の架橋アニオン性高分子電解質を含有する逆ラテックスの形態の組成物であって、前記高分子電解質は、部分的もしくは完全に塩化された２−メチル−２−［（１−オキソ−２−プロぺニル）−アミノ］−１−プロパンスルホン酸と、少なくとも１の中性モノマーおよび任意に少なくとも１の弱酸性官能基を有するモノマーとが重合したコポリマーであり、部分的もしくは完全に塩化された２−メチル−２−［（１−オキソ−２−プロぺニル）−アミノ］−１−プロパンスルホン酸のモル比は、３０％未満１％以上であることを特徴とする、逆ラテックスの形態の組成物である。
【００１２】
「油中水系乳化剤」とは、油中水系エマルジョンを与えるのに十分に低いＨＬＢ値を有する界面活性剤を意味し、例えば、ポリエチレングリコール／ポリ（ヒドロキシステアリン酸）ブロックコポリマー型の界面活性剤ポリマー、あるいは、例えばＭｏｎｔａｎｅ（登録商標）８０の名称においてＳＥＰＰＩＣ社により販売されているソルビタンモノオレアート、Ｍｏｎｔａｎｅ（登録商標）７０の名称においてＳＥＰＰＩＣ社により販売されているソルビタンイソステアレート、Ｍｏｎｔａｎｅ（登録商標）８１の名称においてＳＥＰＰＩＣ社により販売されている、５モルのエチレンオキシド（５ＥＯ）によりエトキシル化されたペンタエトキシル化ソルビタンオレアート、Ｓｉｍｕｌｓｏｌ（登録商標）ＯＣ７２の名称においてＳＥＰＰＩＣ社により販売されているジエトキシル化（２ＥＯ）オレオセチルアルコール、またはＭｏｎｔａｎｅ（登録商標）８３の名称においてＳＥＰＰＩＣ社により販売されているソルビタンセスキオレアート等のソルビタンエステルが挙げられる。
【００１３】
表現「水中油系乳化剤」は、水中油系エマルジョンを与えるのに十分高いＨＬＢ値を有する界面活性剤を意味し、例えば、Ｍｏｎｔａｎｅ（登録商標）８０の名称においてＳＥＰＰＩＣ社により販売されている、２０モルのエチレンオキシド（２０ＥＯ）でエトキシル化されたソルビタンオレアート、Ｓｉｍｕｌｓｏｌ（登録商標）ＯＬ５０の名称においてＳＥＰＰＩＣ社により販売されている、４０モルのエチレンオキシド（４０ＥＯ）でエトキシル化されたポリエトキシル化ひまし油、Ｍｏｎｔａｎｅ（登録商標）２０の名称においてＳＥＰＰＩＣ社により販売されている、２０モルのエチレンオキシド（２０ＥＯ）でエトキシル化されたポリエトキシル化ソルビタンラウレート、Ｍｏｎｔａｎｅ（登録商標）８５の名称においてＳＥＰＰＩＣ社により販売されている、２５モルのエチレンオキシド（２５ＥＯ）でエトキシル化されたポリエトキシル化ソルビタントリオレアート、Ｓｉｍｕｌｓｏｌ（登録商標）Ｐ７の名称においてＳＥＰＰＩＣ社により販売されている、７モルのエチレンオキシド（７ＥＯ）でヘプタエトキシル化ラウリルアルコール、Ｓｉｍｕｌｓｏｌ（登録商標）ＯＣ７１０の名称においてＳＥＰＰＩＣ社により販売されている、デカエトキシル化（１０ＥＯ）オレオセチルアルコール、又はＧ−１０８６（登録商標）及びＧ−１０９６（登録商標）の名称において販売されているポリエトキシル化ソルビタンヘキサオレアート等のポリエトキシル化ソルビタンエステルなどが挙げられる。
【００１４】
表現「架橋アニオン性高分子電解質」は、水不溶性であるが水膨潤性の３次元ネットワークの形態において提供され、そのために化学ゲルの生成をもたらす非線状ポリマーを意味する。
【００１５】
表現「中性モノマー」は、特にアクリルアミド、メタクリルアミド、ジメチルアクリルアミド、２−ヒドロキシメチルアクリレート、２，３−ジヒドロキシプロピルアクリレート、２−ヒドロキシエチルメタクリレート、２，３−ジヒドロキシプロピルメタクリレート、ジアセトンアクリルアミド、またはこれらエステル各々の、４００乃至１０００の分子量を有するエトキシル化誘導体から選択されるモノマーを意味する。
【００１６】
表現「弱酸性官能基を有するモノマー」は、特にカルボン酸を意味し、より詳細には、アクリル酸、メタクリル酸、イタコン酸、マレイン酸、または３−メチル−３−［（１−オキソ−２−プロペニル）アミノ］酢酸であって、部分的もしくは完全に塩化された前記酸を意味する。
【００１７】
表現「部分的もしくは完全に塩化された」は、２−メチル−２−［（１−オキソ−２−プロぺニル）アミノ］−１−プロパンスルホン酸または弱酸性官能基を有するモノマーについて意味し、特に、例えばナトリウム塩又はカリウム塩等のアルカリ金属塩、またはアンモニウム塩、または例えばモノエタノールアミン塩等のアミノアルコール塩、または例えばリシン塩等のアミノ酸塩のいずれかである。
【００１８】
本発明に関して、表現「コポリマー」は、モノマーとして、少なくとも２−メチル−２−［（１−オキソ−２−プロペニル）アミノ］−１−プロパンスルホン酸と少なくとも１の中性モノマーを含有することを条件として、ターポリマー又はテトラポリマーも意味するものである。
【００１９】
本発明の要旨は、より詳細には、アニオン性高分子電解質が、
ナトリウム塩の形態において部分的もしくは完全に塩化された２−メチル−２−［（１−オキソ−２−プロペニル）アミノ］−１−プロパンスルホン酸とアクリルアミドとのコポリマー、および
ナトリウム塩の形態において部分的もしくは完全に塩化された２−メチル−２−［（１−オキソ−２−プロペニル）アミノ］−１−プロパンスルホン酸、ナトリウム塩の形態において部分的もしくは完全に塩化されたアクリル酸、及びアクリルアミドのターポリマー、
から選択される上記に記載の組成物である。
【００２０】
本発明の要旨は、より詳細には、アニオン性高分子電解質が、使用されるモノマーに関して表した場合に、０．００５％乃至１％、好ましくは０．０１％乃至０．５％、より好ましくは０．０１％乃至０．２５％のモル比においてジエチレン又はポリエチレン化合物と架橋されたことを特徴とする、上記に記載の組成物である。
【００２１】
上記に記載の架橋剤は、好ましくは、エチレングリコールジメタクリレート、ジアリルオキシ酢酸もしくはその塩の１つ（例えば、ジアリルオキシ酢酸ナトリウム）、エチレングリコールジアクリレート、ジアリル尿素、トリアリルアミン、トリメチロールプロパントリアクリレート、またはメチレンビス（アクリルアミド）、もしくはこれら化合物の混合物から選択される。
【００２２】
本発明の要旨は、より詳細には、アニオン性高分子電解質における２−メチル−２−［（１−オキソ−２−プロペニル）アミノ］−１−プロパンスルホン酸モノマーのモル比が２％以上２０％以下を示す、上記に記載の組成物でもある。
【００２３】
本発明の要旨である自己可逆性逆ラテックス（self-invertible inverse latex）は、通常、２．５重量％乃至１５重量％、好ましくは４重量％乃至９重量％の乳化剤を含有し、その乳化剤の全重量の２０％乃至５０％、特に２５％乃至４０％が油中水（Ｗ／Ｏ）系であり、全重量の８０％乃至５０％、特に７５％乃至６０％が水中油（Ｏ／Ｗ）系である。
【００２４】
本発明の要旨である自己可逆性逆ラテックスにおいて、油相は通常、その全重量の１５％乃至４０％を示し、好ましくは２０％乃至２５％を示す。
【００２５】
この油相は、通常、パラフィン、イソパラフィン又はシクロパラフィンのような飽和炭化水素であって、周囲温度における密度０．７乃至０．９、沸点１８０℃超を示す飽和炭化水素を含有する市販の鉱油（例えば、Ｉｓｏｐａｒ（登録商標）Ｌ、Ｉｓｏｐａｒ（登録商標）Ｍ、Ｅｘｘｓｏｌ（登録商標）Ｄ  １００  Ｓ、又はＭａｒｃｏｌ（登録商標）等）、または植物油、またはグリセロールエステル（例えば、Ｓｏｆｔｅｎｏｌ（登録商標）３１０８、Ｓｏｆｔｅｎｏｌ（登録商標）３１７８、Ｓｏｆｔｅｎｏｌ（登録商標）３１００、Ｓｏｆｔｅｎｏｌ（登録商標）３１０７、又はＳｏｆｔｅｎｏｌ（登録商標）３１１８等）、または脂肪酸、または合成油のいずれか、もしくはこれら油のいくつかの混合物から構成される。
【００２６】
本発明の好ましい態様によれば、油相は、Ｍａｒｃｏｌ（登録商標）５２、スクアラン、水素化ポリイソブテン、オクチルパルミテート、イソステアリルイソステアレート、イソドデカン、又はイソヘキサデカンから構成される。イソヘキサデカン（ケミカルアブストラクトでナンバーＲＮ＝９３６８５−８０−４として同定されている。）は、Ｃ１６イソパラフィンを少なくとも９７％含有するＣ１２、Ｃ１６および、Ｃ２０イソパラフィンの混合物であり、その主成分は２，２，４，４，６，８，８−ヘプタメチルノナン（ＲＮ＝４３９０−０４−９）である。これはフランスでＢａｙｅｒ社から市販されている。Ｍａｒｃｏｌ（登録商標）５２は、フランス薬局方の液体ワセリンの規定に適合する市販の油である。これは、規則FDA 21 CFR 172.878およびCFR 178.3620(a)に従う白色鉱油であり、米国薬局方US XXIII(1995)、および欧州薬局方(1993)に含まれている。Ｓｏｆｔｅｎｏｌ（登録商標）３８１９は、６乃至１０個の炭素原子を含む脂肪酸トリグリセリドの混合物である。Ｓｏｆｔｅｎｏｌ（登録商標）３１０８は、８乃至１０個の炭素原子を含む脂肪酸トリグリセリドの混合物である。Ｓｏｆｔｅｎｏｌ（登録商標）３１７８は、８乃至１８個の炭素原子を含む脂肪酸トリグリセリドの混合物である。Ｓｏｆｔｅｎｏｌ（登録商標）３１００は、１２乃至１８個の炭素原子を含む脂肪酸トリグリセリドの混合物である。Ｓｏｆｔｅｎｏｌ（登録商標）３１０７は、７個の炭素原子を含む脂肪酸トリグリセリドの混合物である。Ｓｏｆｔｅｎｏｌ（登録商標）３１１４は、１４個の炭素原子を含む脂肪酸トリグリセリドの混合物である。Ｓｏｆｔｅｎｏｌ（登録商標）３１１８は、１８個の炭素原子を含む脂肪酸トリグリセリドの混合物である。
【００２７】
本発明で用いられる自己可逆性逆ラテックスは、通常、２０％乃至５０％の水を含有する。該逆ラテックスはまた、錯化剤、鎖転移剤（chain-transfer agent）、或いは鎖制限剤（chain-limiting agent）等の種々の添加剤を含有し得る。
【００２８】
本発明の他の態様によれば、最後の要旨は、
ａ）  モノマー及び所望により添加物を含有する水溶液を、１又は２以上の油中水系の乳化剤の存在下において油相中で乳化すること、
ｂ）  ａ）において形成したエマルジョン中にフリーラジカル開始剤を導入して重合反応を開始し、次いで反応を進行させること、
ｃ）  重合反応の完了時に、１又は２以上の水中油系の乳化剤を５０℃未満の温度において導入すること、
を特徴とする、上記に記載の組成物を調製する方法である。
【００２９】
本方法の別の形態においては、段階ｂ）で得られる反応媒体を、段階ｃ）を実施する前に蒸留により濃縮する。
【００３０】
上記に記載の方法の好ましい実施態様において、重合反応は、１０℃以下の温度においてクメンヒドロペルオキシド／メタ重亜硫酸ナトリウム対等の酸化還元対により開始され、次いで準断熱的に４０℃以上の温度まで、特には５０℃以上の温度までにするか、もしくは温度変化を調節することにより行う。
【００３１】
本発明の他の要旨は、上記に記載の逆ラテックスの共沸蒸留、沈殿、またはアトマイゼーションにより得られることを特徴とするポリマー粉末である。
【００３２】
共沸蒸留、沈殿、またはアトマイゼーション操作は、当業者が従来技術に従いポリマーにおいて実施しており、その操作条件は文献に記載されている。
【００３３】
本発明の他の要旨は、化粧料、皮膚医薬、又は医薬局所組成物の調製における上記に記載の逆ラテックスまたはポリマー粉末の使用、並びにそれらを含有する前記化粧料、皮膚医薬、又は医薬局所組成物である。
【００３４】
美容的にまたは薬学的に許容され得る粉末又は繊維、もしくは前記粉末又は繊維を含有する連続油相を有するエマルジョンに基づく固体局所組成物は、より詳細には、本発明に係る組成物が使用される化粧料、皮膚医薬又は医薬局所組成物を目標としている。
【００３５】
表現「美容的にまたは薬学的に許容され得る粉末」とは、特に、無機又は有機であり、親水性または疎水性である合成又は天然由来の粉末であって、平均粒径が約０．０１μｍ乃至約２５０μｍ、好ましくは１μｍ乃至５０μｍであり、微粉化されていてもいなくてもよく、いかなる形態であってもよいが、特には繊維形態、層状形態、または球形態であり、所望により表面処理が施されている粉末を意味する。例としては、アクリル酸及びメタクリル酸のコポリマー、又はそれらのエステル体、澱粉、シリカ、カルシウム、ケイ酸マグネシウム又はバリウム、リン酸カルシウム、窒化ホウ素、ラウロイルリシン、シリコーン樹脂粉末、炭酸カルシウム又はマグネシウム、酸化チタン、酸化亜鉛、酸化セリウム、酸化鉄、及び他の無機又は有機顔料、もしくはこれら粉末の混合物が挙げられる。
【００３６】
繊維の例としては、コットン、セルロース又はキトサン繊維等の天然繊維、または、ポリアミド繊維（例えばＮｙｌｏｎ（登録商標）繊維）、Ｒａｙｏｎ（登録商標）繊維、Ｖｉｓｃｏｓｅ（登録商標）繊維、酢酸セルロース繊維、ポリ（ｐ−フェニレンテレフタルアミド）繊維（Ｋｅｖｌａｒ（登録商標）等）、ポリエチレン又はポリプロピレン繊維、ガラス繊維、炭素繊維、Ｔｅｆｌｏｎ（登録商標）繊維、ポリエステル繊維、ポリ（塩化ビニル）繊維、ポリ（ビニルアルコール）繊維、ポリアクリロニトリル繊維、ポリウレタン繊維、又はポリ（エチレンフタレート）繊維等の合成繊維が挙げられる。層状形態にある粉末の例としては、タルク、マイカ、酸化チタン被覆マイカ又はセリサイトが挙げられる。球形態にある粉末の例としては、０．５ｍ２／ｇ以上の比表面積を有するマイクロポーラス微小球から形成されるポリ（メチルメタクリレート）（文献によってはＰＭＭＡと表記されることがある。）があり、例えばＭｉｃｒｏｐｅａｒｌ（登録商標）Ｍ３０５、Ｍｉｃｒｏｐｅａｒｌ（登録商標）Ｍ３０５、Ｍｉｃｒｏｐｅａｒｌ（登録商標）Ｍ１００、Ｍｉｃｒｏｐｅａｒｌ（登録商標）Ｍ２０１又はＭｉｃｒｏｐｅａｒｌ（登録商標）Ｍ３１０の名称において販売されているものが挙げられる；ブチルアクリレート、１−メチルプロピルアクリレート、２−メチルプロピルアクリレート、１，１−ジメチルエチルアクリレート、ブチルメタクリレート、１−メチルプロピルメタクリレート、２−メチルプロピルメタクリレート又は１，１−ジメチルエチルメタクリレートから選択される１又は２以上のモノマーとメチルメタクリレートとのコポリマー又はターポリマーがあり、例えばＭｉｃｒｏｓｐｈｅｒｅ（登録商標）の名称において販売されているものが挙げられる；微小球シリカがあり、例えばＳｉｌｉｃａ  Ｂｅａｄｓ（登録商標）又はＰｏｌｙｔｒａｐ（登録商標）の名称において販売されているものが挙げられる；ポリエチレン、ポリスチレン、ポリアクリロニトリル又はポリアミド等の熱可塑性樹脂から形成された中空微小球があり、例えばＯｒｇａｓｏｌ（登録商標）の名称において販売されているものが挙げられ、またはポリエステルから形成された中級微小球があり、例えばＥｘｐａｎｃｅｌ（登録商標）の名称において販売されているものが挙げられる；有機又は無機材から形成されたマイクロカプセルがあり、例えばＭａｃｒｏｌｉｔｅ（登録商標）の名称において販売されているものが挙げられる。
【００３７】
本発明の他の要旨は、
−５重量％乃至８０重量％の少なくとも１の上記に記載の組成物、及び
−２０％乃至９５％の美容的にまたは薬学的に許容され得る粉末、
を含有する混合物を本質的に含有する局所組成物の調製に用いられる濃縮物である。
【００３８】
第一の特定態様において、上記に記載の濃縮物は上記に記載の粉末を少なくとも５０重量％含有する。
【００３９】
第二の特定態様において、上記に記載の濃縮物は均一な粉末の形態である。
【００４０】
本発明の他の要旨は、上記に記載の濃縮物を、自己可逆性逆ラテックスと粉末とを単純混合することにより調製する方法である。
【００４１】
本発明の要旨である濃縮物は、液体又は固体組成物である化粧料又は薬学的組成物の質感付与剤として使用される。粉末単独で使用される場合に比較して改善された良好なソフト感、または粉末単独で使用される場合に比較して優れた肌への密着性に関する濃縮物の物質的及び感覚的特性、並びに最終組成物において均一に懸濁され得るその性能は、最終組成物を特にファンデーション、メーキャップ粉末、マスカラ又はリップスティック等の固体組成物に適したものとする。
【００４２】
液体組成物に濃縮物が使用される場合、特にエマルジョン、ローション又はゲルであり得、より詳細にはスプレー可能な組成物、もしくは織物又は紙、より詳細にはワイプ又は肌色矯正紙に含浸される他の溶液であり得る。
【実施例】
【００４３】
以下に本発明の実施例を示すが、本発明がこれにより制限されるものではない。  
例１：ナトリウム塩形態において部分的または完全に塩化され、トリアリルアミンにより架橋された２−メチル−２−［（１−オキソ−２−プロペニル）−アミノ］−１−プロパンスルホン酸（ＡＭＰＳ）とアクリルアミド（ＡＭ）とのコポリマー（ＡＭＰＳ／ＡＭ＝５／９５）
下記を攪拌しながらビーカーに加える：
−  脱イオン水                                                ３５０ｇ
−  市販の２−メチル−２−［（１−オキソ−２−プロペニル）アミノ］−１−
プロパンスルホン酸のナトリウム塩の５５重量％溶液          ６９．２ｇ
−  アクリルアミド                                            ２３６．１ｇ
−  市販のナトリウムジエチレントリアミンペンタアセテートの４０％溶液
０．４５ｇ
−  トリアリルアミン                                          ０．３６ｇ。
【００４４】
上記水相のｐＨを３．５に調整し、脱イオン水を加えて水相量を６８０ｇとする。
【００４５】
同時に、下記を攪拌しながらビーカーに連続的に導入し有機相を調製する：
−  Ｅｘｘｓｏｌ（登録商標）Ｄ  １００                          ２２０ｇ
−  Ｍｏｎｔａｎｅ（登録商標）８０  ＶＧ                      ２７．５ｇ
（Ｓｅｐｐｉｃ社製ソルビタンオレアート）
−  アゾビスイソブチロニトリル                                ０．１ｇ。
【００４６】
水相を有機相に徐々に加え、次いでＩＫＡにより市販されているＵｌｔｒａ  Ｔｕｒｒａｘ（登録商標）タイプの装置を用いて激しく機械的攪拌する。
【００４７】
次いで、得られるエマルジョンを重合反応器に移し、酸素を除去するために有用な窒素を注入し、約８−１０℃まで冷却する。
【００４８】
次いで、クメンヒドロペルオキシドの０．４２重量％イソヘキサデカン溶液５ｍｌを加える。
【００４９】
次いで、溶液が良好に均一化するのに十分な時間おいた後、メタ重亜硫酸ナトリウム水溶液（水１００ｍｌ中に０．２ｇ）を０．５ｍｌ／分の割合で加える。これを約６０分に亘り実施する。
【００５０】
この添加の間、重合反応器の温度を最終重合温度まで上昇させる。次いで、反応媒体をこの温度で約９０分間維持する。化合混合物を約３５℃の温度に冷却し、３５ｇのヘプタエトキシル化（７ＥＯ）ラウリルアルコールをゆっくり加える。
【００５１】
濾過して得られる逆ラテックスを収集する。
【００５２】
例２：ナトリウム塩形態において部分的または完全に塩化され、トリアリルアミンにより架橋された２−メチル−２−［（１−オキソ−２−プロペニル）−アミノ］−１−プロパンスルホン酸（ＡＭＰＳ）とアクリルアミド（ＡＭ）とのコポリマー（ＡＭＰＳ／ＡＭ＝１５／８５）
下記を攪拌しながらビーカーに加える：
−  脱イオン水                                                ２７０ｇ
−  市販の２−メチル−２−［（１−オキソ−２−プロペニル）アミノ］−１−
プロパンスルホン酸のナトリウム塩の５５重量％溶液          ２１８．６ｇ
−  アクリルアミド                                            １８１．０ｇ
−  市販のナトリウムジエチレントリアミンペンタアセテートの４０％溶液
０．４５ｇ
−  トリアリルアミン                                          ０．３６ｇ。
【００５３】
上記水相のｐＨを３．５に調整し、脱イオン水を加えて水相量を６８０ｇとする。
【００５４】
同時に、下記を攪拌しながらビーカーに連続的に導入し有機相を調製する：
−  Ｅｘｘｓｏｌ（登録商標）Ｄ  １００                          ２２０ｇ
−  Ｍｏｎｔａｎｅ（登録商標）８０  ＶＧ                      ２７．５ｇ
（Ｓｅｐｐｉｃ社製ソルビタンオレアート）
−  アゾビスイソブチロニトリル                                ０．１ｇ。
【００５５】
水相を有機相に徐々に加え、次いでＩＫＡにより市販されているＵｌｔｒａ  Ｔｕｒｒａｘ（登録商標）タイプの装置を用いて激しく機械的攪拌する。
【００５６】
次いで、得られるエマルジョンを重合反応器に移し、酸素を除去するために有用な窒素を注入し、約８−１０℃まで冷却する。
【００５７】
次いで、クメンヒドロペルオキシドの０．４２重量％イソヘキサデカン溶液５ｍｌを加える。
【００５８】
次いで、溶液が良好に均一化するのに十分な時間おいた後、メタ重亜硫酸ナトリウム水溶液（水１００ｍｌ中に０．２ｇ）を０．５ｍｌ／分の割合で加える。これを約６０分に亘り実施する。
【００５９】
この添加の間、重合反応器の温度を最終重合温度まで上昇させる。次いで、反応媒体をこの温度で約９０分間維持する。化合混合物を約３５℃の温度に冷却し、３５ｇのヘプタエトキシル化（７ＥＯ）ラウリルアルコールをゆっくり加える。
【００６０】
濾過し、これにより得られる逆ラテックスを収集する。
【００６１】
例３：ナトリウム塩形態において部分的または完全に塩化された２−メチル−２−［（１−オキソ−２−プロペニル）−アミノ］−１−プロパンスルホン酸（ＡＭＰＳ）及びアクリル酸（ＡＡ）と、アクリルアミド（ＡＭ）とのトリアリルアミンにより架橋されたターポリマー（ＡＭＰＳ／ＡＡ／ＡＭ＝１０／１０／８０）の逆ラテックスの調製
エクソンケミカルズ（Ｅｘｘｏｎ  Ｃｈｅｍｉｃａｌｓ）により市販され、シクロパラフィン及びパラフィン炭化水素の混合物からなるＥｘｘｓｏｌ（登録商標）Ｄ１００の２２０ｇ中に、２７．５ｇのＭｏｎｔａｎｅ（登録商標）８０を加えて有機相を調製する。そこに０．１ｇのアゾビスイソブチロニトリルを加える。
【００６２】
同時に、下記を導入することにより水相を調製する：
−  水                                                          ２７０ｇ
−  アクリルアミド                                              １９９．０ｇ
−  市販の２−メチル−２−［（１−オキソ−２−プロペニル）アミノ］
−１−プロパンスルホン酸ナトリウム塩の５５％溶液              １４５．７ｇ
−  アクリル酸                                                  ２５．０ｇ
−  水酸化ナトリウムの５０％溶液                                ２０ｇ
−  トリアリルアミン                                            ０．１８ｇ
−  市販のナトリウムジエチレントリアミンペンタアセテートの４０％溶液
０．４５ｇ。
【００６３】
２−アクリルアミド−２−メチルプロパンスルホン酸を必要量（約３ｇ）加えることにより水相のｐＨを５．３に調整する。
【００６４】
次いで、水を加えて水相の合計量を６８０ｇに調整する。  
その後、水相を油相中に攪拌して分散させ、次いでＵｌｔｒａ  Ｔｕｒｒａｘ（登録商標）又はＳｉｌｖｅｒｓｏｎ（登録商標）タイプのタービンミキサーを用いる有意なシアリング（shearing）作動を施す。次いで、このようにして得られる逆相エマルジョンに、窒素を注入して溶解している酸素を除去する。逆相エマルジョンを約８−１０℃に冷却した後、酸化／還元対としてクメンヒドロペルオキシド／メタ重亜硫酸ナトリウムを添加して重合反応を開始する。温度を約８０℃まで上昇させる。その後、反応の終了を示す固定相が得られる温度まで重合反応を進行させる。続いて、反応媒体をこの温度で維持し、残渣モノマーを除去する。次いで、７モル含有エトキシル化ラウリルアルコール３５ｇを約３５℃において加える。濾過し、これにより得られる逆ラテックスを収集する。
【００６５】
例４：ナトリウム塩形態において部分的または完全に塩化された２−メチル−２−［（１−オキソ−２−プロペニル）−アミノ］−１−プロパンスルホン酸（ＡＭＰＳ）及びアクリル酸（ＡＡ）と、アクリルアミド（ＡＭ）とのトリアリルアミンにより架橋されたターポリマー（ＡＭＰＳ／ＡＡ／ＡＭ＝２／５／９３）の逆ラテックスの調製
Ｅｘｘｓｏｌ（登録商標）Ｄ１００の２２０ｇ中に、２７．５ｇのＭｏｎｔａｎｅ（登録商標）８０を加えて有機相を調製する。そこに０．１ｇのアゾビスイソブチロニトリルを加える。
【００６６】
同時に、下記を導入することにより水相を調製する：
−  水                                                  ２７０ｇ
−  アクリルアミド                                      ２３１．０ｇ
−  市販の２−メチル−２−［（１−オキソ−２−プロペニル）アミノ］
−１−プロパンスルホン酸ナトリウム塩の５５％溶液      ７２．８ｇ
−  アクリル酸                                          ５．０ｇ
−  水酸化ナトリウムの５０％溶液                        ４ｇ
−  トリアリルアミン                                    ０．３６ｇ
−  市販のナトリウムジエチレントリアミンペンタ
アセテートの４０％溶液                          ０．４５ｇ。
【００６７】
２−アクリルアミド−２−メチルプロパンスルホン酸を必要量（約３ｇ）加えることにより水相のｐＨを５．３に調整する。次いで、水を加えて水相の合計量を６８０ｇに調整する。その後、水相を油相中に攪拌して分散させ、次いでＵｌｔｒａ  Ｔｕｒｒａｘ（登録商標）又はＳｉｌｖｅｒｓｏｎ（登録商標）タイプのタービンミキサーを用いる有意なシアリング（shearing）作動を施す。次いで、このようにして得られる逆相エマルジョンに、窒素を注入して溶解している酸素を除去する。
【００６８】
逆相エマルジョンを約８−１０℃に冷却した後、酸化／還元対としてクメンヒドロペルオキシド／メタ重亜硫酸ナトリウムを添加して重合反応を開始する。温度を約８０℃まで上昇させる。その後、反応の終了を示す固定相が得られる温度まで重合反応を進行させる。続いて、反応媒体をこの温度で維持し、残渣モノマーを除去する。次いで、７モル含有エトキシル化ラウリルアルコール３５ｇを約３５℃において加える。濾過し、これにより得られる逆ラテックスを収集する。
【００６９】
例５：懸濁特性−水性分散物の安定性
Ｍｉｃｒｏｐｅａｒｌ（登録商標）Ｍ３１０と例２で調製される組成物とを、６０／４０の重量比で、単に攪拌のみにより混合し、本発明の濃縮物を調製した。次いで、その濃縮物の特性をＭｉｃｒｏｐｅａｒｌ（登録商標）Ｍ３１０単独の特性と比較した。
【００７０】
この比較のために、本発明による濃縮物の水性分散物と、コントロール粉末の水中２重量％の水性分散物を、解こうタービンミキサーを用いて機械的攪拌により調製した。次いで、本発明の濃縮物により、顕著な質感、優れた保存安定性、十分に調整可能な粘度を有する調製物を極めて簡便に調合することが可能となることが見出される。
【００７１】
これら濃縮物は、もっぱら連続水相において全タイプのケア又はメークアップ組成物に有利に使用することができ、これは出発粉末が親水性（例えば、Ｍｉｃｒｏｐｅａｒｌ（登録商標）Ｍ３０５）であっても、疎水性（例えば、Ｍｉｃｒｏｐｅａｒｌ（登録商標）Ｍ３１０）であっても使用することができる。
【００７２】
例６：シリコーン中水系エマルジョンの安定化効果
一連のシリコーン油中エマルジョンを、以下の配合に従い調製した。  
Ａ相
ＤＣ５２２５Ｃ（登録商標）                          ２０重量％
ＤＣ３４５（登録商標）                              １０重量％
Ｓｅｐｉｃｉｄｅ（登録商標）ＨＢ                    ０．３重量％
濃縮物（Ｍｉｃｒｏｐｅａｒｌ（登録商標）Ｍ３１０＋
例２の組成物（８／２重量比）                      ５重量％
Ｂ相
水                                                  ｑ．ｓ．１００％
Ｓｅｐｉｃｉｄｅ（登録商標）ＣＩ                    ０．２重量％
グリセロール                                        ５重量％
塩化ナトリウム                                      ２重量％
製造手順
油相Ａ（充填剤を含有する。）および水相Ｂを別々に計量し、スパチュラを用いて混合する。
【００７３】
次いで、アンカースターラーにかけながら、数個の画分において水相を油相に導入する。約１０分間攪拌し続けた後、エマルジョンをダイホモジナイザー（ＡＬＭ（登録商標）ダイ  Ａ１８０）に移す。
【００７４】
本発明による濃縮物は、低含率においても製造手順に修正を加えることなく製造されるエマルジョンの安定性を有意に改善することが、該濃縮物（Ｍｉｃｒｏｐｅａｒｌ（登録商標）Ｍ３１０＋例２の組成物（８／２重量比））を単独のＭｉｃｒｏｐｅａｒｌ（登録商標）Ｍ３１０  ５重量％に置き換えたエマルジョンの安定性と比較することにより観察される。
【００７５】
例７：脂性肌用精製ローション
配合
Ａ相
水                                          ｑ．ｓ．１００％
グルコン酸銅                                        ０．０５％
グルコン酸亜鉛                                      ０．１５％
Ｂ相
Ｍｉｃｒｏｐｅａｒｌ（登録商標）Ｍ３１０＋
例１の組成物（７５／２５重量比）                  ３．５０％
Ｃ相
Ｓｅｐｉｃｉｄｅ（登録商標）ＨＢ                    ０．３０％
Ｓｅｐｉｃｉｄｅ（登録商標）ＬＤ                    ０．８０％
芳香剤                                              ０．１０％
手順
微粉化合物を水中に攪拌しながら分散させることによりＡ相を調製し、次いで攪拌したままゲルにＢ相およびＣ相を加える。
【００７６】
例８：ワイプ含浸用パウダー含有流体
配合
Ａ相
水                                          ｑ．ｓ．１００％
グリセロール                                        ３．００％
Ｍｉｃｒｏｐｅａｒｌ（登録商標）Ｍ３１０＋
例３の組成物（６０／４０重量比）                ２．４％
Ｂ相
Ｓｅｐｉｃｉｄｅ（登録商標）ＨＢ                    ０．３０％
Ｓｅｐｉｃｉｄｅ（登録商標）ＬＤ                    ０．８０％
芳香剤                                              ０．１０％
手順
微粉化合物を水中に攪拌しながら分散させることによりＡ相を調製し、次いで攪拌したままゲルにＢ相を加える。
【００７７】
例９：ソフト感のあるスプレー可能な流体
配合
Ａ相
水                                          ｑ．ｓ．１００％
Ｍｉｃｒｏｐｅａｒｌ（登録商標）Ｍ２０１＋
例３の組成物（８０／２０重量比）                ５．００％
Ｂ相
ＤＣ３４５（登録商標）                              ２．００％
Ｃ相
Ｓｅｐｉｃｉｄｅ（登録商標）ＨＢ                    ０．３０％
Ｓｅｐｉｃｉｄｅ（登録商標）ＣＩ                    ０．２０％
芳香剤                                              ０．１５％
Ｓｅｎｓｉｖａ（登録商標）ＳＣ５０                  ０．５０％
手順
本発明に係る組成物を水中に攪拌しながら分散させることによりＡ相を調製し、次いで攪拌したままゲルにＢ相およびＣ相を加える。
【００７８】
例１０：アフターサンリフレッシングゲル
配合
Ａ相
９０°エタノール                                    ２０．００％
メントール                                          ００．０５％
Ｂ相
アクア／水                                  ｑ．ｓ．１００％
Ｍｉｃｒｏｐｅａｒｌ（登録商標）Ｍ２０１＋
例４の組成物（８０／２０重量比）                １０．００％
Ｃ相
Ｓｅｐｉｃａｌｍ（登録商標）ＶＧ                    ０３．００％
芳香剤                                              ００．１０％
染料                                                ｑ．ｓ．
手順
メントールをエタノール中に溶解することによりＡ相を調製する。
【００７９】
本発明に係る組成物を攪拌しながら水中に分散させることによりＡ相を調製し、その後ゲルが均一になった時にＣ相を、次いでＡ相をＢ相に加える。
【００８０】
例１１：身体の調子を整えるボディケア組成物
配合
Ａ相
水                                          ｑ．ｓ．１００％
Ｍｉｃｒｏｐｅａｒｌ（登録商標）Ｍ３０５＋
例１の組成物（８０／２０重量比）                ８．５０％
Ｂ相
Ｌａｎｏｌ（登録商標）９９                          ５．００％
Ｓｅｐｉｃａｌｍ（登録商標）ＶＧ                    １．００％
Ｓｅｐｉｌｉｆｔ（登録商標）ＤＰＨＰ                １．００％
Ｃ相
Ｓｅｐｉｃｉｄｅ（登録商標）ＨＢ                    ０．３０％
Ｓｅｐｉｃｉｄｅ（登録商標）ＣＩ                    ０．２０％
芳香剤                                              ０．１０％
手順
本発明に係る組成物を攪拌しながら水中に分散させる。  
エステルを７０℃に加熱し、次いでＳｅｐｉｃａｌｍ（登録商標）ＶＧおよびＳｅｐｉｌｉｆｔ（登録商標）ＤＰＨＰを加えることによりＢ相を調製する。
【００８１】
このＢ相を攪拌しながらＡ相に加え、このようにして形成される混合物にＣ相も加える。
【００８２】
例１２：刺激性ケア組成物
配合
Ａ相
水                                          ｑ．ｓ．１００％
グリセロール                                        ０２．５０％
Ｍｉｃｒｏｐｅａｒｌ（登録商標）Ｍ３１０＋
例３の組成物（８０／２０重量比）                １５．００％
Ｓｅｐｉｔｏｎｉｃ（登録商標）Ｍ３                  ０１．００％
Ｂ相
Ｌａｎｏｌ（登録商標）９９                          ０５．００％
ＤＣ３４５（登録商標）                              ０２．５０％
Ｃ相
芳香剤                                              ００．１０％
Ｓｅｐｉｃｉｄｅ（登録商標）ＨＢ                    ００．３０％
Ｓｅｐｉｃｉｄｅ（登録商標）ＣＩ                    ００．２０％
手順
微粉化合物を水相に攪拌しながら分散させ、次いで、攪拌したまま油相Ｂを水相Ａに導入する。Ｃ相を最終ゲルに加える。
【００８３】
例１３：リップスティック
配合
デシルオレアート                                    ２５．００％
二酸化チタン                                        ６．４４％
黄色酸化鉄                                          ３．０４％
Ａ相
黒色酸化鉄                                          ０．３６％
染料”ＤＣ  レッド７”                              ０．７８％
染料”ＦＤＣ  イエロー６”                          ０．７０％
染料”ＦＤＣ  ブルー１”                            ０．１７％
Ｌａｎｏｌ（登録商標）９９                  ｑ．ｓ．１００％
オゾケライト                                        １１．７５％
セチルリシノレアート                                １０．００％
Ｂ相
オクチルドデカノール                                ８．１２％
蜜蝋                                                ４．２０％
トリイソステアリルリノレアート                      ５．００％
セチルパルミテート                                  ４．５０％
カルナウバ蝋（Ｃｏｐｅｒｎｉｃｉａ  ｃｅｒｉｆｅｒａ）
２．２８％
Ｓｅｐｉｌｉｆｔ（登録商標）ＤＰＨＰ                １．００％
Ｍｉｃｒｏｐｅａｒｌ（登録商標）ＭＨＢ＋
例４の組成物（６５／３５重量比）                ３．００％
Ｃ相
芳香剤                                              １．２５％
トコフェリルアセテート                              ００．２０％
手順
ビーズミルでＡ相を粉化する。  
Ｂ相を８５−９０℃で融解し、次いであらかじめ粉化したＡ相を攪拌しながら加える。完全に分散するまで混合物を攪拌する。
【００８４】
Ｃ相を攪拌しながら加える。高温条件下においてペーストを鋳型に流す。
【００８５】
例１４：フェースパウダー
配合
Ｇｉｖｏｂｉｏ（登録商標）ＧＣｕ                    ０．５０％
Ｌｉｐａｃｉｄｅ（登録商標）Ｃ８Ｇ                  ０．５０％
Ｌｉｐａｃｉｄｅ（登録商標）ＵＧ                    ０．５０％
Ａ相
例１の組成物                                        ２．００％
Ｍｉｃｒｏｐｅａｒｌ（登録商標）ＭＨＢ              ３．００％
マイカ                                              ５０．００％
タルク                                              ３３．００％
染料”ＦＤＣ  イエロー６  レーク”                  ０．３０％
染料”Ａｒｉａｂｅｌ  Ｓｉｅｎｎａ”                ０．２０％
Ｂ相
Ｌａｎｏｌ（登録商標）９９                          ５．００％
Ｃ相
ジメチコーン                                        ５．００％
手順
全粉末（Ａ相）を計量し、ブレードミル中で乾燥粉化する。
【００８６】
Ｂ相を加え、Ａ相と同じ時間、ミルを繰り返す。
【００８７】
Ｃ相を加え、Ｂ相と同じミル操作を繰り返す。
【００８８】
このようにして調製される粉末を、続いて圧力８０×１０５ＰａにおいてＫｅｎｗａｌｌ（登録商標）手動コンパクターを用いてプレスする。
【００８９】
例１５：ファンデーション
配合
Ａ相
水                                                  ９．５０％
ブチレングリコール                                  ２．００％
ＰＥＧ−４００                                      ２．００％
Ｐｅｃｏｓｉｌ（登録商標）ＰＳ１００                ０．５０％
水酸化ナトリウム                            ｑ．ｓ．ｐＨ＝９
二酸化チタン                                        ３．５０％
タルク                                              １．００％
黄色酸化鉄                                          ０．４１％
赤色酸化鉄                                          ０．１５％
黒色酸化鉄                                          ０．０２５％
Ｂ相
Ｍｏｎｔａｎｏｖ（登録商標）Ｌ                      ２．００％
Ｌａｎｏｌ（登録商標）９９                          ４．００％
カプリル酸／カプリン酸トリグリセリド                ４．００％
Ｃ相
ＤＣ３４５（登録商標）                              ２．００％
キサンガム                                          ０．３０％
マグネシウムアルミニウムシリケート                  １．００％
Ｄ相
水                                          ｑ．ｓ．１００％
テトラナトリウムＥＤＴＡ                            ０．０５％
Ｍｉｃｒｏｐｅａｒｌ（登録商標）Ｍ３０５＋
例２の組成物（８０％／２０％）                  ２．００％
Ｅ相
Ｓｅｐｉｃｉｄｅ（登録商標）ＨＢ                    ０．５０％
Ｓｅｐｉｃｉｄｅ（登録商標）ＣＩ                    ０．３０％
芳香剤                                              ０．２０％
手順
Ａ相の液体化合物を混合し、次いでｐＨを調節してから顔料を加える。この顔料相は、ビーズミルで粉化されている。
【００９０】
続いて、Ｂ相を７５℃において融解する。
【００９１】
水も７５℃にしてからＤ相を、次いでＡ相を加える。
【００９２】
その後、Ｃ相をＢ相に加え、この混合物を高温水相に導入してから乳化剤の活性化を行う。
【００９３】
次いで、乳剤を徐々に冷却し、３０℃においてＥ相の組成物を加える。
【００９４】
例１６：着色クリームゲル
配合
Ａ相
水                                                  １０．００％
ブチレングリコール                                  ４．００％
ＰＥＧ−４００                                      ４．００％
Ｐｅｃｏｓｉｌ（登録商標）ＰＳ１００                １．５０％
水酸化ナトリウム                            ｑ．ｓ．ｐＨ＝７
二酸化チタン                                        ２．００％
黄色酸化鉄                                          ０．８０％
赤色酸化鉄                                          ０．３０％
黒色酸化鉄                                          ０．０５％
Ｂ相
Ｌａｎｏｌ（登録商標）９９                          ４．００％
カプリル酸／カプリン酸トリグリセリド                ４．００％
ＤＣ３４５（登録商標）                              ４．００％
Ｓｅｐｉｃｉｄｅ（登録商標）ＨＢ                    ０．３０％
芳香剤                                              ０．２０％
Ｃ相
水                                          ｑ．ｓ．１００％
テトラナトリウムＥＤＴＡ                            ０．０５％
Ｓｅｐｉｃｏｎｔｒｏｌ（登録商標）Ａ５              ４．００％
Ｓｅｐｉｃｉｄｅ  ＣＩ
（イミダゾリジン尿素−Ｓｅｐｐｉｃ）              ０．２０％
Ｄ相
Ｍｉｃｒｏｐｅａｒｌ（登録商標）Ｍ１００＋
例３の組成物                                    １７．５％
手順
Ａ相の液体化合物を混合した後、顔料を添加し、次いでこの顔料相Ａをビーズミルを用いて粉化する。
【００９５】
Ｄ相を激しく攪拌しながらＣ相に導入する。ゲルが均一に形成された時、油相Ｂを加え、次いで最後に顔料ペーストＡを加える。
【００９６】
例１７：水−シリコーンタイプの日焼け止めエマルジョン
配合
Ａ相
ＤＣ５２２５Ｃ（登録商標）                          ２０．００％
ＤＣ３４５（登録商標）                              １０．００％
Ｓｅｐｉｃａｌｍ（登録商標）ＶＧ                    ３．００％
二酸化チタン                                        ５．００％
酸化亜鉛、Ｚ−Ｃｏｔｅ（登録商標）                  ４．００％
例２の組成物                                        １．００％
Ｓｅｐｉｃｉｄｅ（登録商標）ＨＢ                    ０．３０％
芳香剤                                              ０．０５％
Ｂ相
水                                          ｑ．ｓ．１００％
Ｓｅｐｉｃｉｄｅ（登録商標）ＣＩ                    ０．２０％
グリセロール                                        ５．００％
塩化ナトリウム                                      ２．００％
手順
Ａ相を、シリコーンとＳｅｐｉｃａｌｍ（登録商標）ＶＧとを混合し、次いで無機充填剤を緩やかに攪拌しながら完全にウェットになるまで分散させ、次いで防腐剤と芳香剤を加えることにより調製する。
【００９７】
水相Ｂを別に調製し、これをＡ相に適度に攪拌しながら徐々に導入する。全成分を導入した後、均一化段階となる。
【００９８】
上記の例で使用した市販品の特性は、以下の通りである：
Ｍｉｃｒｏｐｅａｒｌ（登録商標）Ｍ３０５：架橋ポリメタクリル酸メチルをベースとした光沢のある（ｓｉｌｋｙ）水分散性粉末；  
Ｍｉｃｒｏｐｅａｒｌ（登録商標）Ｍ３１０：架橋ポリメタクリル酸メチルをベースとした光沢のある（ｓｉｌｋｙ）疎水性粉末；  
Ｍｉｃｒｏｐｅａｒｌ（登録商標）Ｍ１００：ポリメタクリル酸メチルをベースとした光沢のある（ｓｉｌｋｙ）水分散性粉末；  
Ｍｉｃｒｏｐｅａｒｌ（登録商標）Ｍ２０１：約１乃至５μｍの粒子サイズを有する架橋ポリメタクリル酸メチルをベースとした光沢のある（ｓｉｌｋｙ）水分散性粉末；  
Ｍｉｃｒｏｐｅａｒｌ（登録商標）ＭＨＢ：架橋ポリメタクリル酸メチルをベースとした光沢のある（ｓｉｌｋｙ）疎水性粉末；
Ｓｉｍｕｌｇｅｌ（登録商標）ＥＧ：コポリマーの自己可逆性逆ラテックスであり、例えば国際公報ＷＯ９９／３６４４５に開示され、Ｓｅｐｐｉｃ社が販売している（ＩＮＣＩ名：ナトリウムアクリレート／ナトリウムアクリロイルジメチルタウレートコポリマーおよびイソヘキサデカンおよびポリソルベート８０）；
Ｓｉｍｕｌｇｅｌ（登録商標）ＮＳ：コポリマーの自己可逆性逆ラテックスであり、例えば国際公報ＷＯ９９／３６４４５に開示され、Ｓｅｐｐｉｃにより市販されている（ＩＮＣＩ名：ヒドロキシエチルアクリレート／ナトリウムアクリロイルジメチルタウレートコポリマーおよびスクアランおよびポリソルベート６０）；
Ｓｅｐｉｇｅｌ（登録商標）３０５：自己可逆性逆ラテックス（ＩＮＣＩ名：ポリアクリルアミド／Ｃ１３−１４  イソパラフィン／ｌａｕｒｅｔｈ−７）；
ＤＣ５２２５Ｃ（登録商標）：シクロペンタシロキサンおよびジメチコンコポリオールの混合物であり、Ｄｏｗ  Ｃｏｒｎｉｎｇにより市販されている；
ＤＣ３４５Ｃ（登録商標）：シクロメチコンであり、Ｄｏｗ  Ｃｏｒｎｉｎｇにより市販されている；
Ｄｒｙ  Ｆｌｏ（登録商標）：アルミニウムおよび琥珀酸オクテニルで修飾された澱粉であり、Ｎａｔｉｏｎａｌ  Ｓｔａｒｃｈにより市販されている；
Ｍｉｃａ１０００（登録商標）：マイカ粉末であり、Ｓｃｉａｍａにより市販されている；
Ａｅｒｏｓｉｌ（登録商標）２００：Ｓｉｌｉｃａであり、Ｄｅｇｕｓｓａにより市販されている；
ＺｎＯ  Ｎｅｕｔｒａｌ（登録商標）：微粉化酸化亜鉛であり、Ｈａａｒｍａｎｎ＆Ｒｅｉｍｅｒにより市販されている；
Ｓｅｐｉｃｉｄｅ（登録商標）ＣＩ：イミダゾリジン尿素（防腐剤）であり、Ｓｅｐｐｉｃにより市販されている；
Ｓｅｐｉｃｉｄｅ（登録商標）ＨＢ：フェノキシエタノール、メチルパラベン、エチルパラベン、プロペルパラベンおよびブチルパラベンの混合物（防腐剤）であり、Ｓｅｐｐｉｃにより市販されている；
Ｓｅｐｉｃｉｄｅ（登録商標）ＬＤ：フェノキシエタノールであり、Ｓｅｐｐｉｃにより市販されている；
Ｓｅｎｓｉｖａ（登録商標）ＳＣ５０：１−（２−エチルヘキシル）グリセロールであり、Ｓｃｈｕｅｌｋｅ＆Ｍａｙｒにより市販されている；
Ｓｅｐｉｃａｌｍ（登録商標）ＶＧ：例えば国際公報ＷＯ９９／４５８９９に開示された組成物であり、Ｓｅｐｐｉｃにより市販されている（ＩＮＣＩ名：ナトリウムパルミトイルプロリンおよびスイレンアルバフラワー（Nymphaea alba flower）抽出物）；
Ｓｅｐｉｌｉｆｔ（登録商標）ＤＰＨＰ：Ｓｅｐｐｉｃにより市販されている（ＩＮＣＩ名：ジパルミトイルヒドロキシプロリン）；
Ｓｅｐｉｔｏｎｉｃ（登録商標）Ｍ３：アスパラギン酸マグネシウム、グルコン酸銅およびグルコン酸亜鉛の混合物であり、Ｓｅｐｐｉｃにより市販されている；
Ｇｉｖｏｂｉｏ（登録商標）ＧＣｕ：グルコン酸銅であり、Ｓｅｐｐｉｃにより市販されている；
Ｌｉｐａｃｉｄｅ（登録商標）ＵＧ：ウンデシレノイルグリシンであり、Ｓｅｐｐｉｃにより市販されている；
Ｌｉｐａｃｉｄｅ（登録商標）Ｃ８Ｇ：オクタノイルグリシンであり、Ｓｅｐｐｉｃにより市販されている；
Ｌａｎｏｌ（登録商標）９９：イソノナン酸イソノニルであり、Ｓｅｐｐｉｃにより市販されている；
Ｌａｎｏｌ（登録商標）１６８８：エチルヘキサン酸セテアリルであり、Ｓｅｐｐｉｃにより市販されている；
Ｐｅｃｏｓｉｌ（登録商標）ＰＳ１００：リン酸ジメチコンコポリオールであり、Ｐｈｏｅｎｉｘにより市販されている；
Ｍｏｎｔａｎｏｖ（登録商標）Ｌ：Ｃ１４−Ｃ２２アルコール、およびＣ１２−Ｃ２０アルキルポリグリコシドをベースとする乳化剤であり、例えば欧州出願ＥＰ０９９５４８７に開示されている；
Ｓｅｐｉｃｏｎｔｒｏｌ（登録商標）Ａ５：カプリロイルグリシン、サルコシンおよびシナモンジラニカム（Cinnamomum zeylanicum）の抽出物の混合物であり、例えば国際出願ＷＯ９９／００１０９に開示され、Ｓｅｐｐｉｃにより市販されている。
【国際調査報告】
2008506805.tif 000002
2008506805.tif 000003